(57)【要約】      （修正有）【課題】ＳＩサイリスタ誘導電動界磁発電機の電源＋側に静電誘導トランジスタ、サイリスタを設けたＳＩサイリスタ誘導電動界磁発電機のアーマチュアの熱を冷やす為開口している部分を穴を開けビスで金アミを止めるを提供する。【解決手段】  石油を使わないで窒素酸化物を削減し地球の温暖化も防ぐと共に燃費も削減出来る接合型電界効果トランジスタの一種で、チャンネル部の不純物を減らし、電流―電圧特性が飽和状態を示さないよう工夫したものをいう静電誘導トランジスタ。この原理を用いたＳＩサイリスタ誘導電動界磁発電機５。【選択図】図２
2009100637.tif 000002
【特許請求の範囲】
【請求項１】
ＳＩサイリスタ誘導電動界磁発電機（５）界磁（３）の中を回る電機子（４）は磁界の変化で回転する、誘導電動機の回転が回転磁界の速さと同じになると電機子は回転しなくなるので東北大学西澤潤一発明のサイリスタを整流子電極＋側に付けて磁界の変化を感じさせ電気を発生出来るサイリスタ（４）と誘導電動機を停止出きるＧＴＯ（７）並びに発電装置ブラシ（８）と整流子（９）金属片（１０）を設けるから発電機となり９、発電機整流子は火花を出すので（１）、火花外脇を開口部（四角）に穴を開け（２）金アミをネジで止める火災又、ガスによる爆発はないＳＩサイリスタ誘導電動機界磁発電機（５）。
【請求項２】
請求項１の電機を利用して大型トラック、列車、電車のエンジンとするＳＩサイリスタ誘導電動界磁発電機（５）。
【請求項３】
〔請求項１〕〔請求項２〕の電機を利用して船舶の客船  貨物船舶のエンジンとするＳＩサイリスタ誘導電動界磁発電機（５）。
【請求項４】
〔請求項１〕〔請求項２〕〔請求項３〕の電機を利用してサイリスタ（７）でゲートによって主電流を切ることが出来るゲート・ターンオフＧＴＯ（７）を設けた大型のＳＩサイリスタ誘導電動界磁発電機のＳＩサイリスタ誘導磁界発電機（５）。
【請求項５】
請求項１の図面〔図〕２のブラシ（８）と整流子（９）金属片（１０）を付ければ発電機となるＳＩサイリスタ誘導電動界磁発電機のＳＩサイリスタ誘導電動界磁発電機（５）。
【請求項６】
〔請求項１〕の電気を利用して照明、道路標識信号の停電不測に利用出来る携帯用発電機であらゆる照明に利用出きるＳＩサイリスタ誘導電動界磁発電機（５）。
【請求項７】
請求項１のエンジン利用してトンネルの掘削機で小島と小島の離島の間をトンネルでつなぎ同じエリアとして島間の格差を無くし国民全てが平和で平等の恩恵を受けられる様に地下トンネルを掘り結び付け一大エリアを作る為トンネルを掘る為の掘削機とブルドーザーの照明、エンジンとするＳＩサイリスタ誘導電動界磁発電機（５）。
【請求項８】
請求項１のエンジンを利用して災害等の検証をする為無人又は有人のヘリコプターの監視カメラの照明、エンジンとするＳＩサイリスタ誘導電動界磁発電機（５）。
【請求項９】
請求項１のエンジンを利用して空飛ぶ飛行機の監視カメラの照明、エンジンとするＳＩサイリスタ誘導電動界磁発電機（５）。
【請求項１０】
請求項１のエンジンを利用して海水からサイリスタを密閉し海中の気圧に耐え得る材質で海底探査船の照明、エンジンとするサイリスタ誘導電動機（５）。
【請求項１１】
請求項１のエンジンを利用して平和利用の潜水艦（船）の照明、エンジンとするＳＩサイリスタ誘導電動界磁発電機（５）。
【請求項１２】
請求項１のエンジンを利用して玩具又は動く物のエンジンとするサイリスタ誘導電動界磁発電機（５）
【請求項１３】
請求項１のエンジンを利用して昼夜なく海底トンネルを掘り続れるロボットを利用して掘削に利用される自分の限界まで働くＳＩサイリスタ誘導電動界磁発電機（５）。
【請求項１４】
〔請求項１〕のエンジンを利用して月に基点を置き、月から地球の起伏を監視して地震、噴火の予知を感知する宇宙からの地震情報を開拓するＳＩサイリスタ誘導電動界磁発電機（５）。
〔請求項１〕のエンジンを利用して請求項１〜請求項１２までの請求項の項目の発明のエンジンを設けた特許請求の範囲。
【発明の詳細な説明】
【技術分野】
【０００１】  接合型電界効果トランジスタの一種で、チャンネル部の不純物を減らし、電流―電圧特性が飽和状態を示さないよう工夫したものをいう静電誘導トランジスタ。この原理を用いたサイリスタが東北大学の西澤潤一によって発明された。之を設けるから誘導電動機の回転の速さと回転磁界の速さは同じにならず、常に磁界の変化を感じるサイリスタを設けたＳＩサイリスタ誘導電動界磁発電機のアーマチュア火花が出る開口部に金アミで包んだ金アミに関するものである。
【背景技術】
【０００２】  （誘導電動機はモーターのように火花の出る部分がなく爆発の危険がないのですが起動回転力は弱い。）力の強い発電機にするとアーマチュアから（火花の出るがこの火花が出ても炭坑の中で火花（炎）を金網で包んで置けば爆発の危険性はない）引用〔発明の名称〕金アミでつつんだ）安全ランプ〔特許請求の範囲〕〔請求項１〕炎の周囲を金アミで包んだ安全ランプ。〔発明の詳細な説明〕この発明は、ランプの外周を金アミでつつみ、ランプの炎がガス体に燃え移らないようにしたもものである。（発明の大略）従来、炭坑などの中では、可燃性のガスがあり、それに引火して爆発し、惨事をひきおこすことがたびたびあった。しかし、光をもつものでこのガスに引火しないような方法は、強く求めながら実現しなかった。〔従来の欠点または要望〕本発明は、この要望に応えるためにされたもので、これを図面について説明すれば、ローソク、石油などの炎１の外周に金アミをめぐらしたものである。このようにしておくと、この炎が金アミを通過しようとすればするほど、金アミは熱を吸収して、炎を外に出す事はない。したがって炎が外のガスに引火することはない。また、外部のガスが金アミをくぐって侵入し、炎によって燃えたとしても、この火が金アミを通って外に出る事はない。したがって外部のガスに引火することはない。（発明の構成）このように、外周を金アミでつつんだランプは、可燃性のガス体の中に入れても、爆発の原因とはならない。これは、数多くの実験の結果、照明されたことである。（発明の効果）〔図面の簡単な説明〕〔図１〕本発明の斜視図である。〔符号の説明〕１は炎  ２は金アミと説明があります  特許出願法  発行所株式会社  実業の日本社  著者  豊沢豊雄  １９９１年１１月１９〜１９９２年１１月  ２日に以上の事が記載されております。〔背景技術〕として利用して下さいませ。）
【発明が解決しようとする課題】
【０００３】  誘導電動機を絶え間なく動かす技術が欲しかった。磁界の変化がなければ、うず電流は生まれなくなり、回転力はなくなります。之では、誘導電動機は使い物になりません。処があったのです。接合型電界効果トランジスタの一種で、チャンネル部の不純物を減らし、電流―電圧特性が飽和状態を示さないよう工夫したものをいう静電誘導トランジスタ。この原理を用いたサイリスタを設ける。西澤潤一発明のサイリスタ（１９９５年知恵蔵）頁８３０参照。
【課題を解決するための手段】
【０００４】  課題で欲しかった救いの６、サイリスタです（ごく僅かな電流で大電流を制御出来る半導体素子、電力制御や交直流の相互の交換に利用）。ｐｎｐｎ接合の３番目のｐ層にゲート電極を付け、スイッチ動作を行わせる半導体素子です。半導体中に電子がキャリァとなるｎ型層と正孔がキャリアとなるｐ型層が相接して存在する構造です。サイリスタ（半導体）は電流を制御出来るスイッチ動作を行わせる最も基本な半導体素子。サイリスタはＧＴＯとしてもゲートによって主電流を切ることが出来る、ゲート・ターン・オフサイリスタを設ける。
（イ）接合型（ＳＩ）電界効果トランジスタの一種で、チャンネル部の不純物を減らし、電流―電圧特性が飽和状態を示さないよう工夫した静電誘導トランジスタ。この原理を用いた東北大西澤潤一発明のサイリスタを〔書類名〕〔図面〕〔図〕２の９、整流子電極＋側に設ける。
（ロ）サイリスタはｐｎｐｎ接合の３番目のｐ層にゲート電極を付け、スイッチ動作を行わせる半導体素子。この構造では陽極（ｐ層）と陰極（ｎ層）間の電極―電圧特性に負性抵抗が現れる、そこでゲート電極から流れ込む電流の大きさに従って電流―電圧特性の動作点を移動することでオフ状態からオン状態への切り替えが出来るサイリスタを設ける。
（ハ）サイリスタが動作点を移動するので、回転磁界と電機子の回転の早さは飽和状態にならず、何時も磁界の変化を感じて電流を生み続けるサイリスタを設ける。
（二）図２の８、プラシと９、整流子１０、金属片を電極＋側に西澤潤一発明のサイリスタを設けたら、発電機となるサイリスタ５、ＳＩサイリスタ誘導電動界磁発電機。
（ホ）接合型電界効果トランジスタの一種で、チャンネル部の不純物を減らし、電流―電圧特性が飽和状態を示さないよう工夫した静電誘導トランジスタ。この原理を用いたサイリスタが西澤潤一によって発明された。之を設けるから誘導電動機の回転の速さと回転磁界の速さは同じにならず、常に磁界の変化を感じるサイリスタを設ける。
（ヘ）普通車、大型トラック、電車のエンジン諸々のエンジン等にサイリスタを設ける。
（ト）客船、貨物船舶の誘導電動機のエンジンにも整流子電極＋側に静電誘導トランジスタのサイリスタを設ける。
（チ）誘導電動機と発電機を比べたら火花が出るモーターの方が強いが、火花でガスによる爆発火災に及ぶから引火しないようにアーマチュア部分の開口部を金アミで包んだ。
【発明の効果】
【０００５】（イ）誘導電動機は磁界の変化によって、うず電流が流れ、それによって電気子は回転するが、電気子の回転がだんだん速くなって、回転磁界の速さと同じになると、電機子は磁界の変化を感じなくなり回転が落ちていた之では使い物になりませんでした。今までの技術ではここまでしか分からなかったが、アナログ・トランジスタの原理を用いたサイリスタを設け飽和状態を示さないようサイリスタを設けたサイリスタ誘導電動機。
（ロ）地球のオゾン層も復活させることが出来る。
（ハ）窒素酸化物がないから地球温暖化も減少する。
（二）アーマチュアの開口部又、発電機全部を金アミで包んだＳＩサイリスタ誘導電動界磁発電機。
【発明を実施するための最良の形態】
【０００６】  以下、本発明の実施の形態について説明する。
（イ）５、ＳＩサイリスタ誘導電動界磁発電機の外部に湾曲した３、界磁を設け、４、電気子を設け同軸に８、ブラシと９、整流子１０、金属片を設ける。
（ロ）５、ＳＩサイリスタ誘導電動界磁発電機のアーマチュア開口部分を金アミで包む。８、ブラシ蓄電池１１、を５、ＳＩサイリスタ誘導電動界磁発電機外部に設ける。
（ハ）５、ＧＴＯで緊急停止するかどうか確認する。
（二）９、整流子を１０、金属片設け確認する。
（ホ）４、サイリスタが西澤潤一発明の静電誘導トランジスタサイリスタか否かを確認する。
【図面の簡単な説明】
【０００７】
【図１】ランプの斜視図である。
【図２】５ＳＩサイリスタ誘導電動界磁発電機の斜視図である。
【符号の説明】
【０００８】１・炎
２・金アミ
３・界磁
４・電機子
５・ＳＩサイリスタ誘導電動界磁発電機
６・サイリスタ（アナログ・トランジスタこの原理を用いたサイリスタ）
７・ＧＴＯ  ゲートターンオフサイリスタ
げーとによって主電流を切る事が出来る
８・ブラシ  電流の出は入り口
９・整流子  電流の出は入り口
１０・金属片火花が出る部位
１１・蓄電池
【図１】
2009100637.tif 000003
【図２】
2009100637.tif 000004
【手続補正書】
【提出日】平成19年12月18日(2007.12.18)
【手続補正１】
【補正対象書類名】特許請求の範囲
【補正対象項目名】請求項１
【補正方法】変更
【補正の内容】
【請求項１】
ＳＩサイリスタ誘導電動界磁発電機（５）の界磁（３）の中を回る電機子（４）は  磁界の変化で回転する、誘導電動機の回転が回転磁界の速さと同じになると電機子は回転しなくなるので東北大学西澤潤一発明のサイリスタを整流子電極＋側に付けて磁界の変化を感じさせ電気を発生出来るサイリスタ（４）と誘導電動機を停止出きるＧＴＯ（７）並びに発電装置ブラシ（８）と整流子（９）金属片（１０）を設けるから発電機となり９、発電機整流子は火花を出すので（１）、火花外脇の開口部（四隅）に穴を開け（２）金属格子をネジで止め火災ガスによる引火爆発はないＳＩサイリスタ誘導電動機界磁発電機（５）。
【手続補正２】
【補正対象書類名】明細書
【補正対象項目名】０００６
【補正方法】変更
【補正の内容】
【０００６】  以下、本発明の実施の形態について説明する。
（イ）５、ＳＩサイリスタ誘導電動界磁発電機のアーマチュア開口部分を金属格子か  金網で囲う。
（ロ）５、ＧＴＯで緊急停止するか否かを確認する。
（ハ）９、整流子と１０、金属片を設けたか否かを確認する。
（二）１１、蓄電池を設けた否かを確認する。
（ホ）４、サイリスタが西澤潤一発明の静電誘導トランジスタか否かを確認する。
（ヘ）発電機整流子は電気を生みサイリスタの力で仕事をして窒素酸化物を削減するＳＩサイリスタ誘導電動界磁発電機（５）。
【手続補正３】
【補正対象書類名】明細書
【補正対象項目名】０００８
【補正方法】変更
【補正の内容】
【０００８】１・炎
２・金属格子
３・界磁
４・電機子
５・ＳＩサイリスタ誘導電動界磁発電機
６・サイリスタ（アナログトランジスタこの原理を用いたサイリスタ）
７・ＧＴＯ  ゲートターンオフサイリスタゲートによって主電流を切る事が出来る
８・ブラシ  電流の出は入り口
９・整流子  電流の出は入り口
１０・金属片火花が出る部位
１１・蓄電池